(57)【要約】【課題】  埃が多く存在するような環境下でも、ルーバー部材のスリットに堆積する埃を清掃する手間を軽減した投影装置を提供する。【解決手段】  光源５５１を収納すると共に開口部１４１が形成されたケース１４と、開口部１４１に取付けられ、複数のスリット７２２が形成された第１のルーバー部材７２と、第１のルーバー部材７２よりケース１４の内側に配置され、第１のルーバー部材７２の各スリット７２２に対応する位置に突条部７３４を有するとともに、突条部７３４間にスリット７３２が形成された第２のルーバー部材７３と、を備え、第１のルーバー部材７２が、第２のルーバー部材７３へ近づく方向と離れる方向へ移動可能に設けられている。これにより、埃７５が多く存在するような環境下でも、第１のルーバー部材７２のスリット７２２に堆積する埃７５を清掃する手間を軽減することができる。【選択図】  図４
2015118112.tif 000002
【特許請求の範囲】
【請求項１】
光源を収納すると共に開口部が形成されたケースと、
前記開口部に取付けられ、複数のスリットが形成された第１のルーバー部材と、
前記第１のルーバー部材より前記ケースの内側に配置され、前記第１のルーバー部材の前記各スリットに対応する位置に突条部を有するとともに、各前記突条部間にスリットが形成された第２のルーバー部材と、
を備え、
前記第１のルーバー部材が、前記第２のルーバー部材へ近づく方向と離れる方向へ移動可能に設けられていることを特徴とする投影装置。
【請求項２】
請求項１に記載の投影装置において、
前記第２のルーバー部材よりも前記ケースの内側に配置され、外部から前記ケースの内部に空気を取込むファンを備え、
前記第１のルーバー部材がバネを介して前記第２のルーバー部材とほぼ平行な位置に配置され、
前記第１のルーバー部材が、前記第１のルーバー部材での圧力損失が大きくなると、前記バネの付勢力に抗して前記第２のルーバー部材側に引き寄せられ、その引き寄せられた前記第１のルーバー部材の前記各スリットには、前記各スリットに対応した前記突条部が入り込み、前記圧力損失が小さくなると、前記第１のルーバー部材が前記付勢力で前記第２のルーバー部材から離間することを特徴とする投影装置。
【請求項３】
請求項２に記載の投影装置において、
前記ファンがファンボックスに収納され、
前記第２のルーバー部材が前記ファンボックスの吸気口を塞ぐように密着して設けられていることを特徴とする投影装置。
【請求項４】
請求項２又は請求項３に記載の投影装置において、
前記ファンがシロッコファンであることを特徴とする投影装置。
【請求項５】
請求項２から請求項４のいずれか１項に記載の投影装置において、
前記第１のルーバー部材と前記第２のルーバー部材とが、前記引き寄せられる前の状態において、前記突条部が前記第１のルーバー部材の対応する前記各スリットに少し入り込むように配置されていることを特徴とする投影装置。
【請求項６】
請求項１から請求項５のいずれか１項に記載の投影装置において、
前記突条部が、前記第１のルーバー部材の対応する前記各スリットの幅よりも細い幅の先端を有し、前記先端から根元に向かうにつれて幅が太くなる形状とされていることを特徴とする投影装置。
【発明の詳細な説明】
【技術分野】
【０００１】
本発明は、画像を投影する投影装置に関する。
【背景技術】
【０００２】
従来、画像を投影する投影装置において、吸排気口に第１のルーバー部材と第２のルーバー部材との２つのルーバー部材を設けたものが知られている（例えば、特許文献１参照）。
特許文献１に記載の投影装置においては、第１のルーバー部材と第２のルーバー部材との間に、埃を捕捉するためのネット部材が設けられている。
このため、第１のルーバー部材と第２のルーバー部材を分解することにより、ネット部材を容易に取り外すことができ、ネット部材を洗浄することができる。そして、洗浄後は容易にルーバー部材にネット部材を組み込むことができる。
【先行技術文献】
【特許文献】
【０００３】
【特許文献１】特開平０８−０６９０５３号公報（段落００１６，段落００２１）
【発明の概要】
【発明が解決しようとする課題】
【０００４】
ところで、近年、会議室などの室内環境に限らず、人の出入りが激しい展示場や店舗といった埃が多く存在する環境下で、投影装置を使用する機会が増えている。
このため、前述したようにネット部材を設けていると、埃が多く存在する環境下では、直ぐに埃がネット部材に堆積し、その都度、ネット部材を取り外してネット部材の洗浄作業を行わなければならず、手間がかかる。
そこで、ネット部材を用いないようにすることも考えられる。
しかしながら、埃は、ネット部材に限らず、ルーバー部材のスリットにも堆積する。このため、埃が多い環境下では、ネット部材を用いていなかったとしても、ルーバー部材のスリットに、直ぐに埃が堆積し、その都度、ルーバー部材を取外してルーバー部材の清掃を行う必要があり、面倒である。
【０００５】
本発明は、上記のような事情に鑑みなされたものであり、埃が多く存在するような環境下でも、ルーバー部材のスリットに堆積する埃を清掃する手間を軽減した投影装置を提供することにある。
【課題を解決するための手段】
【０００６】
（１）本願発明に係る１つの態様は、
光源を収納すると共に開口部が形成されたケースと、
前記開口部に取付けられ、複数のスリットが形成された第１のルーバー部材と、
前記第１のルーバー部材より前記ケースの内側に配置され、前記第１のルーバー部材の前記各スリットに対応する位置に突条部を有するとともに、各前記突条部間にスリットが形成された第２のルーバー部材と、
を備え、
前記第１のルーバー部材が、前記第２のルーバー部材へ近づく方向と離れる方向へ移動可能に設けられている投影装置を提供する。
【発明の効果】
【０００７】
本発明は、第１のルーバー部材が、第２のルーバー部材に接近・離反可能に設けられているので、第２のルーバー部材の突条部が、第１のルーバー部材のスリットに出入りして、第１のルーバー部材に堆積した埃を除去する。これにより、埃が多く存在するような環境下でも、ルーバー部材のスリットに堆積する埃を清掃する手間を軽減することができるという効果を有する投影装置を提供できる。
【図面の簡単な説明】
【０００８】
【図１】本発明に係る実施形態の投影装置の全体斜視図
【図２】投影装置制御手段の構成を示すブロック図
【図３】本発明に係る実施形態の投影装置の内部構造を示す平面模式図
【図４】青色光源装置における冷却部の分解斜視図
【図５】（Ａ）は第１のルーバー部材と第２のルーバー部材との位置関係を示す断面図であり、（Ｂ）は（Ａ）中Ｂ−Ｂ位置の断面図
【図６】第１のルーバー部材のスリットに埃等が堆積した状態を示す断面図
【図７】冷却ファンの吸引により第１のルーバー部材が第２のルーバー部材側に移動して埃を除去する状態の断面図
【発明を実施するための形態】
【０００９】
以下、本発明の実施形態を図に基づいて詳説する。
図１に示すように、投影装置１０は、略直方体形状の筐体（ケース）１４を有する。筐体１４は、平板状の上ケース（ケース）１１と、上方に開口した箱状の下ケース（ケース）１２を有する。上ケース１１の前部略中央及び下ケース１２の前面には、上方、及び、前方から切り込むように凹部が形成されており、この凹部の後端には凹部の底面に掛かるように、スクリーン方向に画像を投影させる投影レンズ４１が配置される。
なお、本実施形態において、投影装置１０における左右とは投影方向に対しての左右方向を示し、前後とは投影装置１０のスクリーン側方向及び光線束の進行方向に対しての前後方向を示す。
【００１０】
上ケース１１には、スピーカ窓１１１やキー／インジケータ部１１２が設けられている。キー／インジケータ部１１２には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。
また、下ケース１２の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子１３が設けられている。
【００１１】
次に、投影装置１０の投影装置制御手段について説明する。
図２に示すように、投影装置制御手段は、制御部２０、入出力インターフェース２１、画像変換部２２、表示エンコーダ２３、表示駆動部２４等を有する。
また、制御部２０は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１２】
従って、入出力コネクタ部２１１から入力された各種規格の画像信号は、入出力インターフェース２１、システムバス（ＳＢ）を介して画像変換部２２で表示に適した所定のフォーマットの画像信号に統一するように変換された後、表示エンコーダ２３に出力される。
また、表示エンコーダ２３は、入力された画像信号をビデオＲＡＭ２５に展開記憶させた上でこのビデオＲＡＭ２５の記憶内容からビデオ信号を生成して表示駆動部２４に出力する。
【００１３】
表示駆動部２４は、表示素子制御手段として機能するものであり、表示エンコーダ２３から出力された画像信号に対応して適宜フレームレートで空間的光変調素子（ＳＯＭ）である表示素子２６を駆動するものである。
この投影装置１０は、光源ユニット５０から射出された光線束を後述の光源側光学系を介して表示素子２６に照射することにより、表示素子２６の反射光で光像を形成し、投影側光学系を介して図示しないスクリーンに画像を投影表示する。
なお、この投影側光学系の可動レンズ群４０は、レンズモータ４２によりズーム調整やフォーカス調整のための駆動が行われる。
【００１４】
また、画像圧縮／伸長部２７は、画像信号の輝度信号及び色差信号をＡＤＣＴ及びハフマン符号化等の処理によりデータ圧縮して着脱自在な記録媒体とされるメモリカード２８に順次書き込む記録処理を行う。
さらに、画像圧縮／伸長部２７は、再生モード時にメモリカード２８に記録された画像データを読み出し、一連の動画を構成する個々の画像データを１フレーム単位で伸長し、この画像データを、画像変換部２２を介して表示エンコーダ２３に出力し、メモリカード２８に記憶された画像データに基づいて動画等の表示を可能とする処理を行う。
【００１５】
そして、筐体の上ケース１１に設けられるメインキー及びインジケータ等により構成されるキー／インジケータ部１１２の操作信号は、直接に制御部２０に送出され、リモートコントローラからのキー操作信号は、Ｉｒ受信部２９で受信され、Ｉｒ処理部３１で復調されたコード信号が制御部２０に出力される。
なお、制御部２０にはシステムバス（ＳＢ）を介して音声処理部３２が接続されている。この音声処理部３２は、ＰＣＭ音源等の音源回路を備えており、投影モード及び再生モード時には音声データをアナログ化し、スピーカ３３を駆動して拡声放音させる。
【００１６】
また、制御部２０は、光源制御手段としての光源制御回路３４を制御しており、この光源制御回路３４は、画像生成時に要求される所定波長帯域の光が光源ユニット５０から射出されるように、光源ユニット５０の赤色、緑色及び青色の波長帯域光を発光させる個別の制御を行う。
さらに、制御部２０は、冷却ファン駆動制御回路３５に光源ユニット５０等に設けた複数の温度センサによる温度検出を行わせ、この温度検出の結果から冷却ファンの回転速度を制御させている。
また、制御部２０は、冷却ファン駆動制御回路３５にタイマー等により投影装置本体の電源オフ後も冷却ファンの回転を持続させる、あるいは、温度センサによる温度検出の結果によっては投影装置本体の電源をオフにする等の制御も行う。
【００１７】
次に、この投影装置１０の内部構造について述べる。
図３に示すように、投影装置１０は、下ケース１２内の左側に回路ブロック６１１を有し、回路ブロック６１１として電源基板６１２を配置させる。電源基板６１２は、各種光源の点灯用電源、ＤＭＤや各種ＩＣ用の主電源、及び、モータ等の機構系を駆動させるための駆動電源等の各電源電圧を生成する電源回路を実装している。
回路ブロック６１１において、電源基板６１２は、投影装置１０のケース１４近傍に配置されて、その内側に中空の回路ブロック６１１空間を形成している。
【００１８】
投影装置１０は、回路ブロック６１１の右側板側で投影装置筐体の略中央部分に光学系ユニット４３を備えている。そして、投影装置１０は、光学系ユニット４３の右側板方向に光源ユニット５０を備えている。
光源ユニット５０は、励起光照射装置５１と、この励起光照射装置５１から射出される光線束の光軸上に配置される蛍光発光装置５２による緑色光源装置５３と、この蛍光発光装置５２から射出される光線束と平行となるように配置される赤色光源装置５４と、励起光照射装置５１と蛍光発光装置５２との間に配置される青色光源装置５５と、を有する。
また、光源ユニット５０は、蛍光発光装置５２からの射出光や赤色光源装置５４からの射出光及び青色光源装置５５からの射出光の光軸が夫々同一の光軸となるように変換して各色光を所定の一面であるライトトンネル５６の入射口に集光する導光光学系５７と、を有する。
【００１９】
緑色光源装置５３としての励起光照射装置５１は、背面板と光軸が直交するよう配置された半導体発光素子による励起光源５３１と、励起光源５３１からの射出光を集光する集光レンズ５３２と、励起光源５３１と背面板との間に配置されたヒートシンク５３３と、を有する。
ヒートシンク５３３の背面板側には、軸流式の吸気ファンである２つの冷却ファン５３４，５３５が配置されている。また、ヒートシンク５３３の右側板側には、空気を右後側排気孔に排気させる右後側ダクト５３６が配置されている。さらに、ヒートシンク５３３の左側には、空気を底面板の底面排気孔より装置外に排気させるための底面側ダクト５３７が配置されている。
【００２０】
励起光源５３１は、青色レーザーダイオード等のレーザー光源としての発光素子であり、各励起光源５３１の光軸上には、励起光源５３１からの射出光を指向性が増した光に変換するレンズであるコリメータレンズ５３８がそれぞれに配置されている。
そして、複数のコリメータレンズ５３８は、各励起光源５３１から射出される光線束の間隔を縮小して集光レンズ５３２に射出する。
【００２１】
緑色光源装置５３における蛍光発光装置５２は、励起光照射装置５１からの射出光の光軸と直交するように配置された蛍光ホイール５２１と、この蛍光ホイール５２１を回転駆動するホイールモータ５２２と、蛍光ホイール５２１から背面板側に射出される光線束を集光する集光レンズ群５２３と、を備える。
蛍光ホイール５２１の緑色の蛍光体層に照射された励起光照射装置５１からの射出光は、緑色の蛍光体層における緑色蛍光体を励起し、緑色蛍光体から全方位に蛍光発光された光線束は、直接励起光源５３１側へ、あるいは、蛍光ホイール５２１の反射面で反射した後に励起光源５３１側へ射出される。
【００２２】
なお、蛍光ホイール５２１の反射面で蛍光体層側に反射された励起光において蛍光体に吸収されることなく励起光源５３１側に射出された励起光は、第一ダイクロイックミラー５２４を透過し、蛍光光は第一ダイクロイックミラー５２４により反射される。
【００２３】
青色光源装置５５は、蛍光発光装置５２からの射出光の光軸と直交するように配置された青色光源５５１と、青色光源５５１からの射出光を集光する集光レンズ群５５２と、を備える。
この青色光源装置５５は、赤色光源装置５４からの射出光と光軸が交差するように配置されている。また、青色光源５５１は、青色の波長帯域光を発する半導体発光素子としての青色発光ダイオード（ＬＥＤ）である。
【００２４】
さらに、青色光源装置５５は、青色光源５５１の右側板側に配置されるヒートシンク５５３を備える。そして、ヒートシンク５５３と背面板との間には、吸気した外気を、方向を変えて送風させる冷却ファン５５４が配置されている。冷却ファン５５４は、シロッコファンである。
そして、ヒートシンク５５３の正面板側には、ヒートシンク５５３により暖められた空気を右前側排気孔により装置外に排気させるための右前側ダクト５５５が配置されている。
【００２５】
赤色光源装置５４は、励起光源５３１と光軸が平行となるように配置された赤色光源５４１と、赤色光源５４１からの射出光を集光する集光レンズ群５４２と、を備える。そして、この赤色光源装置５４は、励起光照射装置５１からの射出光及び蛍光ホイール５２１から射出される緑色波長帯域光と光軸が平行となるように配置されている。
さらに、赤色光源装置５４は、赤色光源５４１の正面板側に配置されるヒートシンク５４３を備える。そして、ヒートシンク５４３と正面板の右正面吸気孔との間には冷却ファン５４４が配置されている。冷却ファン５４４は、軸流ファンである。
そして、ヒートシンク５４３の右側板側には、ヒートシンク５４３により暖められた空気を右正面排気孔より装置外に排気させるための正面側ダクト５４５が配置されている。
【００２６】
導光光学系５７は、赤色、緑色、青色波長帯域の光線束を集光させる集光レンズや、各色波長帯域の光線束の光軸を変換して同一の光軸とさせるダイクロイックミラー等からなる。
また、赤色光源装置５４から射出される赤色波長帯域光の光軸と、青色光源装置５５から射出される青色波長帯域光の光軸と、が交差する位置に、青色及び緑色波長帯域光を透過し、赤色波長帯域光を反射させて赤色波長帯域光の光軸を９０度変換する第二ダイクロイックミラー５７１が配置されている。
【００２７】
第二ダイクロイックミラー５７１を通過及び反射した各色光は、全反射ミラー５７２を介して光軸を９０度変換して、ライトトンネル５６に入射させる。なお、ライトトンネル５６の近傍には、ライトトンネル５６の入射口に光源光を集光する集光レンズ５７３が配置されている。
【００２８】
光学系ユニット４３は、装置内の略中央に位置する画像生成ブロック４３２と、導光光学系５７と回路ブロック６１１との間に位置する投影側ブロック４３３と、の２つのブロックによって構成されている。
光源ユニット５０から射出された光源光を画像生成ブロック４３２が備える表示素子２６に導光する光源側光学系４３４としては、光源ユニット５０から射出された光線束を均一な強度分布の光束とするライトトンネル５６、ライトトンネル５６から射出された光を集光する集光レンズ４３５、ライトトンネル５６から射出された光線束の光軸を画像生成ブロック４３２方向に変換する光軸変換ミラー４３６等がある。
【００２９】
画像生成ブロック４３２は、表示素子ブロックとして熱源である表示素子２６とするＤＭＤと、この表示素子２６と背面板との間には表示素子２６を冷却するためのヒートシンク４３９と、を備え、このヒートシンク４３９によって表示素子２６が冷却される。
また、画像生成ブロック４３２は、光源側光学系４３４として、光軸変換ミラー４３６で反射した光源光を表示素子２６に集光させる集光レンズ４３７と、この集光レンズ４３７を透過した光線束を表示素子２６に所定の角度で照射する照射ミラー４３８と、を有している。更に、表示素子２６の正面近傍には、投影側光学系４４としてのコンデンサレンズ４４１が配置されている。
【００３０】
投影側ブロック４３３は、表示素子２６で反射されたオン光をスクリーンに放出する投影側光学系４４のレンズ群を有している。この投影側光学系４４としては、固定鏡筒に内蔵する固定レンズ群４４２と可動鏡筒に内蔵する可動レンズ群４０とを備えてズーム機能を備えた可変焦点型レンズとされ、レンズモータにより可動レンズ群４０を移動させることによりズーム調整やフォーカス調整を可能としている。
【００３１】
次に、図４を参照しながら、青色光源５５１を有する青色光源装置５５に設けられている冷却部７０について説明する。
冷却部７０は、下ケース１２の側面に設けられている吸気用スリット（開口部）１４１（図１参照）の内側に設けられており、その吸気用スリット（開口部）１４１から吸気した空気の流れにより青色光源装置５５（図３参照）を冷却する。
図４に示すように、冷却部７０は、冷却ファン５５４を有しており、冷却ファン５５４を収容するファンボックス７１が筐体１４（図１参照）に取り付けられている。
なお、冷却部７０の説明においては、筐体１４の右方向（右側）を前方（前側）として説明する。すなわち、図４における「左」を「前」として説明する。
【００３２】
冷却ファン５５４は、シロッコファンであり、筐体１４の右側板の内側に取り付けられており、筐体１４の吸気用スリット１４１を介して吸気する（図１参照）。
図４に示すように、冷却ファン５５４の前側（外側）には、第２のルーバー部材７３が設けられ、第２のルーバー部材７３の前側に第１のルーバー部材７２が設けられている。
【００３３】
図４及び図５（Ａ）に示すように、第２のルーバー部材７３は、外側に矩形枠状の枠部７３１を有しており、左右の枠部７３１の間に、上下方向に一定の間隔（スリット７３２）を形成するように羽板７３３を取り付けて構成される。
第２のルーバー部材７３は、枠部７３１をファンボックス７１の前端面７１１に取り付けることにより、吸気口７１２を塞ぐように密着して固定される。
そして、第１のルーバー部材７２及び第２のルーバー部材７３は、ファンボックス７１に密着しており、図５（Ａ）に示すように、第１のルーバー部材７２のスリット７２２及び第２のルーバー部材７３のスリット７３２以外からは吸気できないようになっている。
【００３４】
また、図４に示すように、第１のルーバー部材７２は、左右に支持部材７２１を有し、左右の支持部材７２１間に、一定間隔のスリット７２２を形成するように、横材７２３が取り付けられている。スリット７２２の配置間隔は、図５（Ａ）に示される通り、第２のルーバー部材７３のスリット７３２の配置間隔と同一である。横材７２３の高さ寸法Ｈ１は、第２のルーバー部材７３のスリット７３２の高さ寸法Ｈ２よりも小さい。
【００３５】
第２のルーバー部材７３の羽板７３３の前側には、羽板７３３の全長にわたって突条部７３４が設けられている。
突条部７３４は、第１のルーバー部材７２の対応する各スリット７２２の高さ寸法Ｈ３よりも薄い厚さの先端を有し、先端から根元（羽板７３３側）に向かうにつれて厚さが太くなる断面形状を有する。
また、突条部７３４の長手方向両端部には、凹部７３６が形成されている（図５（Ｂ）参照）。
【００３６】
図４に示すように、第１のルーバー部材７２は、全体寸法が第２のルーバー部材７３の枠部７３１の内面寸法よりも僅かに小さく、枠部７３１の内側に挿嵌可能となっており、支持部材７２１が、第２のルーバー部材７３の突条部７３４に設けられている図５（Ｂ）で示した凹部７３６内を移動可能となっている。
また、図４に示すように、第１のルーバー部材７２と第２のルーバー部材７３との間の四隅にはバネ７４が設けられており、第１のルーバー部材７２は、第２のルーバー部材７３と平行に支持される。
【００３７】
これにより、第１のルーバー部材７２は、第２のルーバー部材７３へ近づく方向と離れる方向へ移動可能に支持される。
なお、第１のルーバー部材７２が、バネ７４の弾性力により第２のルーバー部材７３から離れた際に、第１のルーバー部材７２の支持部材７２１が突条部７３４の凹部７３６から脱落しないようにストッパを第２のルーバー部材７３に設けてもよい。
【００３８】
バネ７４の復帰力により第１のルーバー部材７２が第２のルーバー部材７３から離れた（移動する前）状態（図５（Ａ）中実線で表示）において、突条部７３４の長さは、第１のルーバー部材７２の対応する各スリット７２２に少し入り込むように設定されている。
なお、第１のルーバー部材７２が第２のルーバー部材７３側に移動した状態（図５（Ａ）中破線で表示）でも、横材７２３と羽板７３３との間に、空気の吸引を可能にする隙間７３５が形成される。
【００３９】
次に、青色光源装置５５（図３参照）の冷却部７０における動作について説明する。
ます、冷却ファン５５４を稼動させる前の状態では、第１のルーバー部材７２はバネ７４の弾性力により第２のルーバー部材７３から離れた位置に位置する（図５（Ａ）中実線で表示）。
冷却ファン５５４を稼動すると、外部の空気が、筐体１４の吸気用スリット１４１（図１参照）を通り、第１のルーバー部材７２のスリット７２２及び第２のルーバー部材７３のスリット７３２を介して、吸引される（図５（Ａ）における矢印参照）。
このとき、スリット７２２に入り込んでいる突条部７３４は、厚さが薄い先端部のみなので、空気が流れる隙間が十分な状態である。
【００４０】
さらに冷却ファン５５４により外気を吸引すると、図６に示すように、第１のルーバー部材７２のスリット７２２に埃７５等が堆積する。
これにより、第１のルーバー部材７２のスリット７２２における空気流通面積が減少して、第１のルーバー部材７２での圧力損失が大きくなるので、第１のルーバー部材７２は、バネ７４の付勢力に抗して第２のルーバー部材７３側に引き寄せられる。
このとき、第１のルーバー部材７２のスリット７２２に、第２のルーバー部材７３の突条部７３４が入り込んで、埃７５等をスリット７２２から押し出す。
【００４１】
そして、図７に示すように、埃７５等が取り除かれると、第１のルーバー部材７２のスリット７２２における空気流通面積が広がり、第１のルーバー部材７２での圧力損失が小さくなる。このため、第１のルーバー部材７２は、バネ７４の弾性力により第２のルーバー部材７３から離れる方向に移動する。
これにより、空気の流入路が再び大きくなる。
なお、埃７５等によりスリット７２２が目詰まりして長時間吸気が無いと判断された場合には、安全装置が作動して冷却ファン５５４を停止させるので、第１のルーバー部材７２は、バネ７４の弾性力により基の位置に復帰する。
【００４２】
次に、本発明の投影装置１０（図３参照）の作用効果について説明する。
本発明の投影装置１０では、青色光源５５１を収納する筐体１４の吸気用スリット１４１（図１参照）の内側には、第１のルーバー部材７２と、第２のルーバー部材７３が設けられている（図４参照）。
第１のルーバー部材７２には、複数のスリット７２２が設けられている。第２のルーバー部材７３は、第１のルーバー部材７２より筐体１４の内側に配置され、第１のルーバー部材７２の各スリット７２２に対応する突条部７３４を有するとともに、突条部７３４同士の間にスリット７３２が形成されている（図５（Ａ）、（Ｂ）参照）。
【００４３】
そして、第１のルーバー部材７２が、第２のルーバー部材７３へ近づく方向と離れる方向へ移動可能に設けられている。
このため、第１のルーバー部材７２を第２のルーバー部材７３に対して移動させることにより、第２のルーバー部材７３の突条部７３４が、第１のルーバー部材７２のスリット７２２に出入りして、第１のルーバー部材７２に堆積した埃７５を除去する。
これにより、埃７５が多く存在するような環境下でも、第１のルーバー部材７２のスリット７２２に堆積する埃７５を清掃する手間を軽減することができる。
【００４４】
また、本発明の投影装置１０では、第２のルーバー部材７３よりも筐体１４の内側に配置された冷却ファン５５４が、外部から筐体１４の内部に空気を取込んで内部を冷却する。
第１のルーバー部材７２は、第２のルーバー部材７３とほぼ平行な位置に、バネ７４を介して第２のルーバー部材７３に接近・離反可能に取り付けられている。
このため、第１のルーバー部材７２のスリット７２２に埃７５等が堆積し、冷却ファン５５４が外部の空気を吸引した結果、第１のルーバー部材７２での圧力損失が大きくなると、第１のルーバー部材７２はバネ７４の付勢力に抗して第２のルーバー部材７３側に引き寄せられる。
【００４５】
このとき、引き寄せられた第１のルーバー部材７２の各スリット７２２には、各スリット７２２に対応した第２のルーバー部材７３の突条部７３４が入り込んで、堆積している埃７５等を押し出して除去する。
そして、埃７５を除去した結果、第１のルーバー部材７２における圧力損失が小さくなると、第１のルーバー部材７２がバネ７４の付勢力で第２のルーバー部材７３から離間する。
これにより、手間をかけることなく、第１のルーバー部材７２に堆積した埃７５等を除去することができる。
【００４６】
また、本発明の投影装置１０では、冷却ファン５５４はファンボックス７１に収納されており、第２のルーバー部材７３がファンボックス７１の吸気口７１２を塞ぐように密着して設けられている。
このため、冷却ファン５５４によりファンボックス７１の内部に吸引される空気は、確実に第２のルーバー部材７３を通過することになる。
【００４７】
また、本発明の投影装置１０では、冷却ファン５５４としてシロッコファンを用いる。シロッコファンは静圧（空気を送り出す力）が高いので、圧損がかかる状況下でも良好に空気を送り出す（吸引する）ことができる。
このため、圧損が大きくなった状態のときに、バネ７４の付勢力に抗して第１のルーバー部材７２を第２のルーバー部材７３に好適に引き寄せることができる。
【００４８】
また、本発明の投影装置１０では、第１のルーバー部材７２と第２のルーバー部材７３とが引き寄せられる前の状態において、突条部７３４が第１のルーバー部材７２の対応する各スリット７２２に少し入り込むように配置されている。
このため、第１のルーバー部材７２が第２のルーバー部材７３に接近・離反する際に、第２のルーバー部材７３の突条部７３４は確実に第１のルーバー部材７２のスリット７２２内を移動することができ、スリット７２２に堆積した埃７５を除去することができる。
【００４９】
さらに、本発明の投影装置１０では、第２のルーバー部材７３に設けられている突条部７３４が、第１のルーバー部材７２の対応する各スリット７２２の高さ寸法Ｈ３に比して薄い先端を有しているので、突条部７３４は容易にスリット７２２内を移動することができる。
また、突条部７３４が、先端から根元に向かうにつれて厚さが大きくなる形状を呈しているので、スリット７２２内を移動する際に、スリット７２２に堆積している埃７５等を確実に除去することができる。
【００５０】
本発明の投影装置は、前述した実施形態に限定されるものでなく、適宜な変形，改良等が可能である。
例えば、前述した実施形態においては、冷却ファンとしてシロッコファンを用いた場合について例示したが、本発明は軸流ファンにも適用可能である。
【００５１】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
〔付記〕
＜請求項１＞
光源を収納すると共に開口部が形成されたケースと、
前記開口部に取付けられ、複数のスリットが形成された第１のルーバー部材と、
前記第１のルーバー部材より前記ケースの内側に配置され、前記第１のルーバー部材の前記各スリットに対応する位置に突条部を有するとともに、各前記突条部間にスリットが形成された第２のルーバー部材と、
を備え、
前記第１のルーバー部材が、前記第２のルーバー部材へ近づく方向と離れる方向へ移動可能に設けられていることを特徴とする投影装置。
＜請求項２＞
請求項１に記載の投影装置において、
前記第２のルーバー部材よりも前記ケースの内側に配置され、外部から前記ケースの内部に空気を取込むファンを備え、
前記第１のルーバー部材がバネを介して前記第２のルーバー部材とほぼ平行な位置に配置され、
前記第１のルーバー部材が、前記第１のルーバー部材での圧力損失が大きくなると、前記バネの付勢力に抗して前記第２のルーバー部材側に引き寄せられ、その引き寄せられた前記第１のルーバー部材の前記各スリットには、前記各スリットに対応した前記突条部が入り込み、前記圧力損失が小さくなると、前記第１のルーバー部材が前記付勢力で前記第２のルーバー部材から離間することを特徴とする投影装置。
＜請求項３＞
請求項２に記載の投影装置において、
前記ファンがファンボックスに収納され、
前記第２のルーバー部材が前記ファンボックスの吸気口を塞ぐように密着して設けられていることを特徴とする投影装置。
＜請求項４＞
請求項２又は請求項３に記載の投影装置において、
前記ファンがシロッコファンであることを特徴とする投影装置。
＜請求項５＞
請求項２から請求項４のいずれか１項に記載の投影装置において、
前記第１のルーバー部材と前記第２のルーバー部材とが、前記引き寄せられる前の状態において、前記突条部が前記第１のルーバー部材の対応する前記各スリットに少し入り込むように配置されていることを特徴とする投影装置。
＜請求項６＞
請求項１から請求項５のいずれか１項に記載の投影装置において、
前記突条部が、前記第１のルーバー部材の対応する前記各スリットの幅よりも細い幅の先端を有し、前記先端から根元に向かうにつれて幅が太くなる形状とされていることを特徴とする投影装置。
【符号の説明】
【００５３】
１０  投影装置
１４  筐体（ケース）
１４１  吸気用スリット（開口部）
５５１  青色光源（光源）
５５４  冷却ファン（ファン）
７１  ファンボックス
７１２  吸気口
７２  第１のルーバー部材
７２２  スリット
７３  第２のルーバー部材
７３２  スリット
７３４  突条部
７４  バネ
【図１】
2015118112.tif 000003
【図２】
2015118112.tif 000004
【図３】
2015118112.tif 000005
【図４】
2015118112.tif 000006
【図５】
2015118112.tif 000007
【図６】
2015118112.tif 000008
【図７】
2015118112.tif 000009